(57)【要約】ネットワークシステムによって実行される、Ｐ２Ｐ通信における妨害を相殺する方法を提案し、この方法は、Ｐ２Ｐ接続を確立すべき２つのＵＥが存在するセル及びその隣接セルのコードグループ使用情報により冗長コードグループ情報を特定するステップと；前記２つのＵＥと、前記２つのＵＥが存在するセル及びその隣接セル内で通信状態にある他の動作中の各ＵＥとの間の相対位置を検出するステップと；前記相対位置により、前記２つのＵＥの少なくとも一方のＵＥが前記動作中のＵＥの少なくとも１つに対する無線妨害を生じさせる場合には、さらに、前記少なくとも一方のＵＥと前記動作中のＵＥとが同じ時間スロットに割り当てられているか否かを判定するステップと；前記少なくとも一方のＵＥ及び前記動作中のＵＥとが同じ時間スロットに割り当てられている場合には、前記冗長グループ情報からスクランブルコードを選択してこのスクランブルコードを前記２つのＵＥに割り当て、前記２つのＵＥが、前記スクランブルコードを用いることによって、前記２つのＵＥ間で転送されるＰ２Ｐ信号に対するスクランブル動作を実行できるようにするステップとを具えている。
2007512734.tif 000002
【特許請求の範囲】
【請求項１】
ネットワークシステムにおいて実行される、Ｐ２Ｐ妨害を軽減する方法において：
(a) Ｐ２Ｐリンクを確立しようとする２つのユーザ装置（ＵＥ）が存在するセル及びその隣接セルのコードグループ使用情報により冗長コードグループ情報を特定するステップと；
(b) 前記冗長コードグループ情報からスクランブルコードを選択し、これにより、前記２つのＵＥが、前記スクランブルコードを用いることによって、前記２つのＵＥ間で転送されるＰ２Ｐ信号に対するスクランブル動作を実行することができるステップと
を具えていることを特徴とするＰ２Ｐ妨害の軽減方法。
【請求項２】
(i) 前記２つのＵＥと、前記２つのＵＥが存在するセル及びその隣接セル内で通信状態にある他の動作中の各ＵＥとの間の相対位置を測定するステップと；
(ii) 前記２つのＵＥの少なくとも一方が、前記相対位置により、前記動作中のＵＥのうちの少なくとも１つに対する無線妨害を生じさせている場合には、さらに、前記少なくとも一方のＵＥと前記動作中のＵＥとが同じ時間スロットに割り当てられているか否かを判定するステップとを具え；
前記少なくとも一方のＵＥと前記動作中のＵＥとが同じ時間スロットに割り当てられている場合に、前記ステップ(b)を実行することを特徴とする請求項１に記載の方法。
【請求項３】
前記ステップ(a)が：
(a1) 前記２つのＵＥによって送信される、前記２つのＵＥが存在するセル及びその隣接セルのコードグループ使用情報を受信するサブステップと；
(a2) 前記コードグループ使用情報により前記冗長コードグループ情報を特定するサブステップと
を含むことを特徴とする請求項２に記載の方法。
【請求項４】
前記ステップ(a)が：
前記２つのＵＥが存在するセル及びその隣接セルに事前割当てされたコードグループ使用情報により、前記冗長コードグループ情報を特定するサブステップを含むことを特徴とする請求項２に記載の方法。
【請求項５】
前記ステップ(i)が：
前記２つのＵＥが、前記動作中の各セルの無線範囲内に入るか否かを検出するサブステップと；
前記動作中の各ＵＥが、前記２つのＵＥの無線範囲内に入るか否かを検出するサブステップと
を含むことを特徴とする請求項２に記載の方法。
【請求項６】
さらに：
(c) Ｐ２Ｐ通信が終了した際に、前記スクランブルコードの返還を要求するステップを具えていることを特徴とする請求項２に記載の方法。
【請求項７】
ユーザ装置（ＵＥ）によって実行される、Ｐ２Ｐ妨害を軽減する方法において、
(A) セル探索手順によって、前記ＵＥが存在するセルのコードグループ使用情報を取得するステップと；
(B) 隣接セル探索手順によって、前記セルの隣接セルのコードグループ使用情報を読み取るステップと；
(C) 前記ＵＥが存在するセル及びその隣接セルのコードグループ使用情報をネットワークシステムに送信するステップと
を具えていることを特徴とするＰ２Ｐ妨害の軽減方法。
【請求項８】
さらに：
(D) 前記ネットワークシステムによって割り当てられたスクランブルコードを受信するステップであって、前記スクランブルコードは、前記ネットワークシステムによって、前記ネットワークシステムが前記コードグループ使用情報により特定した前記冗長コードグループ情報から選択することによって割り当てられるステップを具えていることを特徴とする請求項７に記載の方法。
【請求項９】
さらに：
(E1) 前記スクランブルコードを用いることによって、前記ＵＥによって送信されるＰ２Ｐ信号に対するスクランブル動作を実行するステップと；
(F1) スクランブルされた前記信号を、前記ＵＥとのＰ２Ｐリンクを確立させた他のＵＥに送信するステップと
を具えていることを特徴とする請求項８に記載の方法。
【請求項１０】
さらに：
(E2) スクランブルされたＰ２Ｐ信号を、前記ＵＥとのＰ２Ｐリンクを確立させた他のＵＥから受信するステップであって、前記スクランブルされたＰ２Ｐ信号は、前記他のＵＥによって、前記ネットワークシステムによって割り当てられたスクランブルコードを用いることによってスクランブルされているステップを具えていることを特徴とする請求項８または９に記載の方法。
【請求項１１】
Ｐ２Ｐ妨害を軽減することが可能なネットワークシステムにおいて：
Ｐ２Ｐリンクを確立しようとする２つのＵＥが存在するセル及びその隣接セルのコードグループ使用情報により冗長コードグループ情報を特定する第１特定ユニットと；
前記冗長コードグループ情報からスクランブルコードを選択し、該スクランブルコードを前記２つのＵＥに割り当て、これにより、前記２つのＵＥが、前記スクランブルコードを用いることによって、前記２つのＵＥ間で転送されるＰ２Ｐ信号に対するスクランブル動作を実行することを可能にする選択ユニットと
を具えていることを特徴とするネットワークシステム。
【請求項１２】
さらに：
前記２つのＵＥと、前記２つのＵＥが存在するセル及びその隣接セル内で通信状態にある他の動作中の各ＵＥとの間の相対位置を測定する測定ユニットと；
前記２つのＵＥの少なくとも一方が、前記相対位置により、前記動作中のＵＥの少なくとも１つに対する無線妨害を生じさせている際に、さらに、前記少なくとも一方のＵＥと前記動作中のＵＥとが同じ時間スロットに割り当てられているか否かを特定する第２特定ユニットとを具え、
前記選択ユニットは、前記第２特定ユニットが前記少なくとも一方のＵＥと前記動作中のＵＥとが同じ時間スロットに割り当てられていることを特定した際に、前記冗長コードグループ情報から前記スクランブルコードを選択することを特徴とする請求項１１に記載のネットワークシステム。
【請求項１３】
さらに：
前記２つのＵＥによって送信される、前記２つのＵＥが存在するセル及びその隣接セルのコードグループ使用情報を受信する受信ユニットを具え；
前記第１特定ユニットは、前記コードグループ使用情報により前記冗長コードグループ情報を特定することを特徴とする請求項１２に記載のネットワークシステム。
【請求項１４】
前記第１特定ユニットが、コードグループ使用情報により、前記２つのＵＥが存在するセル及びその隣接セルに事前割当てされた前記冗長コードグループ情報を特定することを特徴とする請求項１２に記載のネットワークシステム。
【請求項１５】
前記測定ユニットは、前記２つのＵＥが前記動作中の各ＵＥの無線範囲内に入るか否かを測定し、かつ前記動作中の各ＵＥが前記２つのＵＥの無線範囲内に入るか否かを測定することを特徴とする請求項１２に記載のネットワークシステム。
【請求項１６】
セル探索手順によって、ユーザ装置（ＵＥ）が存在するセルのコードグループ使用情報を取得する取得ユニットと；
隣接セル探索手順によって、前記セルの隣接セルのコードグループ使用情報を読み取る読取りユニットと；
前記ＵＥが存在するセル及びその隣接セルの前記コードグループ使用情報をネットワークシステムに送信する送信ユニットと
を具えていることを特徴とするユーザ装置（ＵＥ）。
【請求項１７】
さらに：
前記ネットワークシステムによって割り当てられたスクランブルコードを受信する受信ユニットを具え、前記スクランブルコードは、前記ネットワークシステムによって、前記ネットワークシステムが前記コードグループ使用情報により特定した前記冗長コードグループ情報から選択することによって割り当てられることを特徴とする請求項１６に記載のＵＥ。
【請求項１８】
さらに：
前記スクランブルコードを用いることによって、前記ＵＥによって送信されるＰ２Ｐ信号に対するスクランブル動作を実行するスクランブルユニットを具え；
前記送信ユニットが、前記ＵＥとのＰ２Ｐリンクを確立した他のＵＥにスクランブルされた前記信号を送信することを特徴とする請求項１７に記載のＵＥ。
【請求項１９】
前記受信ユニットが、スクランブルされたＰ２Ｐ信号を、前記ＵＥとのＰ２Ｐリンクを確立させた他のＵＥから受信し、前記スクランブルされたＰ２Ｐ信号は、前記他のＵＥによって、前記ネットワークシステムによって割り当てられたスクランブルコードを用いることによってスクランブルされ；
前記ＵＥがさらに：
前記ＵＥに割り当てられた前記スクランブルコードを用いることによって、前記スクランブルされたＰ２Ｐ信号をデスクランブルして、前記他のＵＥからの情報を得るためのデスクランブルユニットを具えていることを特徴とする請求項１７または１８に記載のＵＥ。
【発明の詳細な説明】
【技術分野】
【０００１】
（発明の分野）
本発明は一般に、ＴＤＤ  ＣＤＭＡ（Time Division Duplex Code Division Multiple Access：時分割  符号分割多重接続）通信システムに関するものであり、特に、Ｐ２Ｐ型通信システムにおけるＰ２Ｐ妨害を軽減する方法及び装置に関するものである。
【０００２】
（発明の背景）
従来のセルラー移動通信システムでは、ＵＥ（User Equipment：ユーザー装置）は他のＵＥとの間の距離にかかわらず、基地局の中継を通して他のＵＥと通信するしかなかった。図１に、この従来の通信モードを示し、ここでＵＥ１とＵＥ２とは、基地局トランシーバ（即ちノードＢ）及びＲＮＣ（Radio Network Controller：無線ネットワークコントローラ）から成るＵＴＲＡＮ（Universal Terrestrial Radio Access Network：３ＧＰＰが規定する移動体通信網のノード）を通して情報を交換し、この通信モードはＵＰ−ＵＴＲＡＮ−ＤＯＷＮモードとも称される。しかし、同一セル内の２つのＵＥ間の距離が非常に近い際の一部の場合には、これらのＵＥどうしが、基地局の中継を通すよりも直接通信する方がより合理的であり得る。この方法がいわゆるピア−ツー−ピア通信であり、Ｐ２Ｐと略される。
【０００３】
図２に示すように、図では破線がシグナリング（通信制御）リンクを表わし、実線がデータリンクを表わし、矢印の先端が情報フロー（流れ）の向きを表わす。シグナリング・リンクはＵＴＲＡＮとＵＥとの間のみに存在するのに対し、データリンクは通信中の２つのＵＥ間のみに存在する。基本的な通信を維持するためのリソース（資源）のみが存在するものと仮定する。直接リンクを（固定の周波数、時間スロット（タイムスロット）及び拡散コード（符号）を有する）無線リソースの１単位と考えるならば、Ｐ２Ｐ通信モードは基本的な通信を維持するために２単位の無線リソースしか必要としない、ということは容易に導き出される。管理のための追加的なシグナリング・コストを無視するならば、Ｐ２Ｐ通信は従来の通信モードよりも無線リソースを約50%節減することができる。一方では、ＵＴＲＡＮはＰ２Ｐ通信についての制御、特に無線リソースの使用方法についての制御を保持したままであり、このため、ネットワークのオペレータ（運営者）はＰ２Ｐ通信において使用される無線リソースに対する課金を容易に行うことができる。
【０００４】
時分割多重（ＴＤＤ：Time Division Duplex）エア（無線）インタフェースは、異なるアップリンク及びダウンリンクのトラフィック要求へのより柔軟（フレキシブル）な適応を提供する通信規格である、ということは一般に受け入れられている。ＴＤＤ通信方式に基づく既存の３Ｇシステムのうち、ＴＤ−ＳＣＤＭＡ（Time Division-Synchronization Code Division multiple Access：時分割−同期ＣＤＭＡ）システムは、Ｐ２Ｐ通信と従来の通信モードとの組合せに最も適した理想的な通信システムである、というのは、同じキャリア（搬送波）周波数をアップリンク及びダウンリンク通信に共に適用できるからであり、これによりユーザー装置のＲＦ（Radio Frequency：無線周波数）モジュールを簡略化することができる。
【０００５】
【特許文献１】中華人民共和国特許出願番号03119892.9
【０００６】
中華人民共和国特許出願番号03119892.9、発明の名称”A Method and Apparatus for Establishing P2P Communication in Wireless Communication Networks”、出願人KONINKLIJKE PHILIPS ELECTRONICS N.V.、2003年3月7日出願の特許出願に記載の、無線通信ネットワーク内でＰ２Ｐ通信を確立するための方法及び装置は、ＴＤ−ＳＣＤＭＡシステムを含むあらゆるＴＤＤ  ＣＤＭＡ通信システムに適しており、参考文献として本明細書に含める。
【０００７】
【特許文献２】中華人民共和国特許出願番号03119895.3
【０００８】
中華人民共和国特許出願番号03119895.3、発明の名称”A Method and Apparatus for Radio Link Establishment and Maintenance with P2P Communication in Wireless Communication Networks”、出願人KONINKLIJKE PHILIPS ELECTRONICS N.V.、2003年3月7日出願の特許出願に記載の、無線通信ネットワーク内でＰ２Ｐ通信を確立するための方法及び装置は、ＴＤ−ＳＣＤＭＡシステムを含むあらゆる無線通信システムに適しており、参考文献として本明細書に含める。
【０００９】
既存のＴＤ−ＳＣＤＭＡシステムと同じランダムアクセス手順よってＵＴＲＡＮとのアップリンク同期を確立した後に、ＵＥは他のＵＥとの直接リンクを、中華人民共和国特許出願番号03119892.9の特許出願に記載の方法及び装置によって確立することができ、即ち、対応する専用リソースを２つのＰ２ＰのＵＥに割り当てることができる。そして、２つのＵＥ間の直接リンクは、中華人民共和国特許出願番号03119895.3の特許出願に記載の方法及び装置により確立し維持することができ、これにより２つのＵＥは、それぞれに割り当てられた時間スロット内でＰ２Ｐ信号を受信及び送信することができ、これにより２つのＵＥ間のＰ２Ｐ通信を達成することができる。
【００１０】
しかし、Ｐ２Ｐ通信の導入は、ＴＤ−ＳＣＤＭＡ通信システムにおける従来のＵＰ−ＵＴＲＡＮ−ＤＯＷＮ通信モードを変化させる。従って、従来のリンクがＰ２Ｐリンクと時間スロットを共用する際に、従来のアップリンク及び／またはダウンリンク通信はＰ２Ｐリンクの通信との不可避の妨害を生成し、この妨害はＰ２Ｐ型ＴＤＤ  ＣＤＭＡ通信システムの性能を大幅に劣化させやすい。
【００１１】
図３に、ＴＤ−ＳＣＤＭＡ通信システムにＰ２Ｐを導入することによって生じ得る種々の妨害を示す。ＵＥ  ＡからＵＥ  Ｂに送信される信号Ｓ２は、ＵＥ  Ｃから基地局に送信される信号Ｓ１と同じ時間スロットを共用し、従って、ＵＥ  ＢがＵＥ  Ｃの無線範囲内に入れば、ＵＥ  Ｂがアップリンク時間スロット内の信号を受信する際に、ＵＥ  ＡからのＰ２Ｐ信号並びにＵＥ  Ｃからの無線信号を受信することができ、この時点では、ＵＥ  Ｃによって送信される信号Ｓ１は、ＵＥ  Ｂにとっては妨害信号Ｉ１となり、そしてＵＥ  Ａによって送信される信号Ｓ２は、基地局にとっては妨害信号Ｉ２となる。同様に、ＵＥ  ＣがＵＥ  ＢのＰ２Ｐ無線範囲内に入れば、ＵＥ  ＢからＵＥ  Ａに送信される信号Ｓ４が基地局からＵＥ  Ｃに送信される信号Ｓ３と同じダウンリンク時間スロットを共用する際に、信号Ｓ４はＵＥ  Ｃにとっては妨害信号Ｉ４となり、信号Ｓ３はＵＥ  Ａにとっては妨害信号Ｉ３となる。その上、Ｐ２Ｐ通信中の対ＵＥ  Ａ−ＢとＰ２Ｐ通信中の対ＵＥ  Ｄ−Ｅとの間に、同じ時間スロットを共用することによる無線干渉が生じる際に、妨害信号Ｉ５及びＩ６が存在する。
【００１２】
【特許文献３】中華人民共和国特許出願番号03119894.5
【特許文献４】中華人民共和国特許出願番号03123738.X
【００１３】
上記妨害信号Ｉ２については、妨害信号Ｉ２を軽減する２つの方法及び装置の提案は、それぞれ中華人民共和国特許出願番号03119894.5、発明の名称”A Method and Apparatus for Maintaining Uplink Synchronization with P2P Communication in Wireless Communication Networks”、出願人KONINKLIJKE PHILIPS ELECTRONICS N.V.、2003年3月7日出願の特許出願、及び中華人民共和国特許出願番号03123738.X、発明の名称”A Method and Apparatus for Maintaining Uplink Synchronization with P2P Communication in Wireless Communication Networks”、出願人KONINKLIJKE PHILIPS ELECTRONICS N.V.、2003年5月19日出願の特許出願に詳細な記載がなされ、これらの特許出願は参考文献として本明細書に含める。
【００１４】
【特許文献５】中華人民共和国特許出願番号03110415.0
【００１５】
妨害信号Ｉ３を軽減する方法及び装置の提案は、中華人民共和国特許出願番号03110415.0、発明の名称”A Method and Apparatus for Supporting P2P Communication in TDD CDMA Communication Systems”、出願人KONINKLIJKE PHILIPS ELECTRONICS N.V.、2003年4月11日出願の特許出願に記載され、この特許出願は参考文献として本明細書に含める。
【００１６】
【特許文献６】中華人民共和国特許出願番号03123740.1
【００１７】
上記妨害信号Ｉ１、Ｉ４、Ｉ５及びＩ６については、妨害信号Ｉ１、Ｉ４、Ｉ５及びＩ６を軽減するインテリジェントな動的チャンネル割り当ての方法及び装置の提案が、中華人民共和国特許出願番号03123740.1、発明の名称”A Method and Apparatus for Supporting P2P Communication in TDD CDMA Communication Systems”、出願人KONINKLIJKE PHILIPS ELECTRONICS N.V.、2003年5月19日出願の特許出願に記載され、この特許出願は参考文献として本明細書に含める。
【００１８】
このインテリジェントな動的チャンネル割り当て方法の基本原則は：Ｐ２Ｐリンク経由でＰ２Ｐ通信を実行中のＵＥが他のＵＥの無線範囲に入るか、あるいは他のＵＥがＰ２Ｐリンク経由でＰ２Ｐ通信を実行中のＵＥの無線範囲に入る際には、このインテリジェントな動的チャンネル割り当て方法を用いることによって異なる時間スロットをこれらのＵＥに割り当てて、同じ時間スロットを共用することによって生じる上記妨害信号Ｉ１、Ｉ４、Ｉ５及びＩ６を回避することができる、ということである。
【００１９】
しかし、通信プロトコルによれば、各ＴＤ−ＳＣＤＭＡサブフレームには７つの時間スロットしかなく、これらのうちの１つの時間スロットはダウンリンク共通制御チャンネル用であり、従って各サブフレーム内で実際に利用可能なのは６つの時間スロットしかない。２つのＵＥがＰ２Ｐ通信を実行している際には、これらのＵＥのＰ２Ｐリンクには２つの異なる時間スロットが必要であるものと仮定する。上記インテリジェントな動的チャンネル割り当て方法によれば、Ｐ２Ｐ通信中の２つのＵＥの無線範囲内では、２対のＵＥのみが（４つの異なる時間スロットを用いて）２対のＰ２Ｐリンクを同時に確立することができる。このことは、ホットスポットのような多くの場合における実際の要求を満足せず、従って、特にサポートすべきＰ２Ｐ範囲が増大すると、Ｐ２Ｐの用途に制限が加わる。
【００２０】
（発明の概要）
本発明の目的は、Ｐ２Ｐ型通信システムにおけるＰ２Ｐ妨害を軽減する方法及び装置を提供することにあり、この方法及び装置は、ＴＤＤ  ＣＤＭＡ通信システムにＰ２Ｐ通信モードを導入することによって生じる上記妨害信号Ｉ１、Ｉ４、Ｉ５及びＩ６を効果的に軽減することができる。
【００２１】
本発明の他の目的は、Ｐ２Ｐ型通信システムにおけるＰ２Ｐ妨害を軽減する方法及びシステムを提供することにあり、この方法及び装置は、ＴＤＤ  ＣＤＭＡ通信システムにＰ２Ｐ通信モードを導入することによって生じる上記妨害信号Ｉ２及びＩ３を効果的に軽減することができる。
【００２２】
本発明によるＰ２Ｐ妨害を軽減する方法はネットワークシステムによって実行され、Ｐ２Ｐリンクを確立しようとする２つのＵＥが存在するセル及びその隣接セルのコードグループ使用情報により、冗長コードグループ情報（冗長なコードグループの情報）を特定するステップと；前記２つのＵＥが存在する前記セル及びその隣接セル内の、前記２つのＵＥと、通信状態にある他の動作中の各ＵＥとの間の相対位置を検出するステップと；前記２つのＵＥの少なくとも一方と前記動作中のＵＥの少なくとも１つとの間に、前記相対位置に起因する無線妨害が生じている際には、さらに、前記ＵＥ及び前記動作中のＵＥが同じ時間スロット内に割り当てられているか否かを判定し、前記ＵＥ及び前記動作中のＵＥが同じ時間スロットに割り当てられている場合には、前記冗長コードグループ情報からスクランブルコードを選択して、このスクランブルコードを前記２つのＵＥに割り当て、これにより、前記２つのＵＥが、これら２つのＵＥ間で転送するＰ２Ｐ信号上で前記スクランブルコードを使用することによってスクランブル動作を実行できるようにするステップとを具えている。
【００２３】
本発明によるＰ２Ｐ妨害を軽減する方法は、前記ＵＥが存在するセルのコードグループ使用情報をセル探索手順によって取得するステップと；その隣接セルのコードグループ使用情報を隣接セル探索手順によって読み取るステップと；前記ＵＥが存在するセル及びその隣接セルの前記コードグループ使用情報をネットワークシステムに送信するステップと；前記ネットワークシステムによって割り当てられたスクランブルコードを受信するステップであって、前記スクランブルコードは、前記ネットワークシステムが前記コードグループ使用情報により特定した冗長コードグループ情報から前記ネットワークシステムが選択することによって割り当てられるステップと；送信するＰ２Ｐ信号上または受信したＰ２Ｐ信号上で前記スクランブルコードを使用することによってスクランブル動作を実行するステップとを具えている。
【００２４】
以下、本発明の好適な実施例を図面を参照しながら詳細に説明する。
【００２５】
（実施例の詳細な説明）
本発明におけるＰ２Ｐ妨害を軽減する方法は、Ｐ２ＰのＵＥが存在するセル及びその隣接セルの未使用のスクランブルコードを利用することによって、送信するＰ２Ｐ信号に対するスクランブル動作を実行し、これにより、Ｐ２Ｐ通信を導入することによって生じる妨害信号を軽減することができる、というのは、スクランブルコードは自己相関及び相互相関の良好な特性を有するからである。
【００２６】
次の章はまず、ＴＤ−ＳＣＤＭＡシステムを例として挙げることによって、スクランブルコード、及び本発明に関係するその自己相関及び相互相関の特性についての概略の紹介を行う。
【００２７】
スクランブルコードは固定長の英数字列のなす列である（例えばＴＤ−ＳＣＤＭＡシステムは１６文字の長さを有するスクランブル列を採用する）。データスクランブル動作は、データシンボル（記号）を拡散させた後に、拡散されたデータ上でチップ毎にスクランブルコード列による乗算演算を実行することになる。拡散動作、あるいは換言すれば、異なる加入者を区別するために信号帯域を拡散させるチャンネル化動作とは異なり、スクランブル動作は、信号のセル特性を指定するものであり、信号帯域は変化させない。
【００２８】
ＴＤ−ＳＣＤＭＡシステムでは、図４に示すように、合計１２８個のスクランブルコードが定義される。これらのスクランブルコードは、３２個のSYNC_DLコード、２５６個のSYNC_ULコード、及び１２８個のミッドアンブル（中文）コードと共に、３２個のコードグループの分割される。各コードグループは１個のSYNC_DLコード、８個のSYNC_ULコード、４個のミッドアンブル・コード、及び４個のスクランブルコードから成る。異なる隣接セルは異なるコードグループを使用する。ＵＥにとっては、あるセルが使用するSYNC_DLコードが一旦識別されると、このセルが使用する関連のSYNC_ULコード、ミッドアンブル・コード、及びスクランブルコードも知ることができる。
【００２９】
ＴＤ−ＳＣＤＭＡシステムでは、ＵＥはその（このＵＥが存在する）セルのコードグループ使用情報をセル探索手順によって得る。まず、ＵＥはＭＦ（Match Filter：マッチフィルタ、一致フィルタ）を用いることによってＤＷＰＴＳ内のSYNC_DLコードを探索する。次に、ＵＥは、このSYNC_DLコードにより、セルが使用するコードグループ、即ち８個のSYNC_DLコード、４個のミッドアンブル・コード、及び４個のスクランブルコードを識別することができる。
【００３０】
セル探索段階中には、ＵＥは、上述した方法を用いることによって、このＵＥが存在するセルのコードグループ使用情報を得ることができ、並びに、ＢＣＨ上で広報されるシステム情報を読み取ることによって、隣接するセルのコードグループ使用情報を得ることができる。
【００３１】
各セル内の基地局及びＵＥは限定された送信パワーを有し、従って、あるセル上に存在するＵＥは、最大でも、このセル及びその隣接するからの無線信号しか受信することができない。従って、ＵＥが送信するＰ２Ｐ信号を、冗長コードグループ内の、当該セル及びその隣接セルに割り当てられたコードグループ以外のスクランブルコードでスクランブルするならば、このことは当該セル内及びその隣接セル内の通信に大きな影響はもたらさない。
【００３２】
本発明は、冗長コードグループ内の、ＵＥが存在するセル及びその隣接セルに割り当てられたコードグループ以外のスクランブルコードを利用して、ＵＥが送信するＰ２Ｐ信号をスクランブルし、これにより上記妨害信号Ｉ１、Ｉ４、Ｉ５及びＩ６を効果的に軽減する。
【００３３】
スクランブルコードは、その良好な自己相関及び相互相関の特性により、異なるセルの信号を区別するため、及びＵＥによって送信されるＰ２Ｐ信号を識別するために用いることができる。図５に、異なるコードグループ内のスクランブルコードの自己相関及び相互相関特性を示す。図５では、スクランブルコード０（コードグループ１に属する）及びスクランブルコード４（コードグループ２に属する）を分析用の例として挙げ、これらの例から、スクランブルコードが、チャンネル化コードの拡散ゲイン（利得）の他の不所望な信号レベルを低減することができることがわかる。
【００３４】
例えば、表１に、ＵＥの相関器におけるスクランブルされた信号の自己相関出力を示し、同期精度の範囲が−１チップから＋１チップであり、精度ステップが0.125コードチップである例を挙げる。表１より、所望信号と妨害信号とが完全に同期してＵＥに到着する際には、所望信号の自己相関出力ゲインは１６であり；同期精度が1/4（0.25）チップである際には、所望信号の自己相関出力ゲインは10.75であることがわかる。
【００３５】
【表１】
2007512734.tif 000003
【００３６】
表２に、ＵＥの相関器におけるスクランブルされた信号の相互相関出力を示す。表２より、所望信号と妨害信号とが完全に同期してＵＥに到着する際には、所望信号の相互相関出力ゲインは０であり；同期精度が1/4（0.25）チップである際には、所望信号の相互相関出力ゲインは0.25〜0.75であることがわかる。
【００３７】
【表２】
2007512734.tif 000004
【００３８】
以上の分析に基づき、スクランブルコードが非常に良好な自己相関及び相互相関特性を有することがわかる。
【００３９】
本発明による、冗長コードグループ内のスクランブルコードを利用することによる妨害軽減方法でより良い実際的な結果を達成すべき場合には、Ｐ２Ｐ型通信システムは次の３つの条件を満足すべきである：
(1) Ｐ２Ｐがサポートする無線範囲を適切に調整し、その結果、ＵＥが冗長コードグループ内のスクランブルコードによってスクランブルした信号は、当該ＵＥが存在するセル及びその隣接セル内のみで転送することができ、他のより遠いセル内では転送できない、ということになる。従って、ＵＥは、当該ＵＥが存在するセル及びその隣接セルが使用するコードグループ以外の冗長コードグループ内のスクランブルコードを利用して、当該ＵＥが送信するＰ２Ｐ信号をスクランブルすることができるようにする。
(2) 通信システムの同期方式は、妨害信号と所望信号とが、規定の同期精度範囲（例えば-1/4チップから1/4チップまで）内にＵＥに到着できるように設計すべきである。従って、妨害信号によってシステムに生じる影響は、規定された同期精度範囲内での上記スクランブルコードの良好な自己相関及び相互相関特性を利用することによって低減することができる。
(3) 異なる冗長コードグループ内の異なるスクランブルコードは、上記妨害信号Ｉ１、Ｉ４，Ｉ５及びＩ６によって影響される異なるチャンネルに割り当てられ、これにより、Ｒx（受信側）ＵＥが所望のトラフィックデータを正しく識別することができる。
通信システムが上記３つの条件を満足することができる際には、通信リンクに対する不所望なデータの妨害を軽減することができる。このことは、ＵＥに到着する妨害信号と所望信号との同期精度を十分なものにできる限りは、Ｐ２Ｐがサポートする無線範囲内の不所望なトラフィックデータは、Ｒx（受信側）ＵＥではスクランブルされた信号であり、Ｒx  ＵＥによって白色雑音（ホワイトノイズ）として処理されることを意味する。
【００４０】
以下、本発明による、スクランブルコードを利用することによって妨害を軽減する方法が、Ｐ２Ｐ型通信システムＵＥ１、ＵＥ２、及びＵＴＲＡＮによってどのように実行されるかの例を、図６を参照しながら詳細に説明する。
【００４１】
ＵＥ１及びＵＥ２は、電源投入後にセル探索手順を実行する。セル探索手順中には、Ｐ２Ｐリンクを確立しようとするＵＥ１及びＵＥ２は一般に非常に近く、従ってこれらのＵＥは同じセルを取得できるはずである。上述したように、ＵＥ１及びＵＥ２は、セル探索手順中に、これらのＵＥが存在するセル及びその隣接セルのコードグループ使用情報を取得することができる（ステップＳ１０）。ＵＴＲＡＮは、ネットワーク計画の先行学習の知識に基づいて、受信したコードグループ情報により冗長コードグループ情報を特定する（ステップＳ３０）。このことは、冗長コードグループ情報が、ＵＥ１及びＵＥ２が存在するセル及びその隣接セルが使用していないコードグループに関係することを意味する。
【００４２】
ここでは、ＵＴＲＡＮは、ＵＥ１及びＵＥ２からの受信報告メッセージを通して、ＵＥ１及びＵＥ２が存在するセル及びその隣接セルのコードグループ使用情報を取得することができるか、あるいは、ネットワークの計画時にＵＥ１及びＵＥ２が存在するセル及びその隣接セルに事前に割り当てられたコードグループ情報により、コードグループ使用情報を特定することができる。冗長コードグループ情報は、このコードグループ使用情報によりＵＴＲＡＮによって特定することができる。あるいはまた、ＵＥ１及びＵＥ２が、それぞれのコードグループ使用情報を特定した後に、それぞれの冗長コードグループ情報を特定し、そして、それぞれが冗長コードグループ情報をＵＴＲＡＮに報告する。（ＵＥ１は一般にＵＥ２に非常に近く、従って同じ冗長コードグループ情報を報告する。）
【００４３】
冗長コードグループ情報を特定した後に、ＵＴＲＡＮは、この冗長コードグループ情報中のスクランブルコードを蓄積するための冗長スクランブルコード・リソース（資源）プールを構成する（ステップＳ４０）。
【００４４】
ＵＥ１及びＵＥ２は、上述した中華人民共和国特許出願番号03119895.3の特許出願に記載の方法及び装置によるＰ２Ｐリンクを確立しようとする（ステップＳ５０）。
【００４５】
ＵＴＲＡＮは、ＵＥ１及びＵＥ２、及びＵＥ１及びＵＥ２が存在するセル及びその隣接セル内で通信中の他の動作中の各ＵＥの相対位置を測定し（ステップＳ６０）、ＵＥ１とＵＥ２との間のＰ２Ｐ無線範囲、及びＵＥ１及びＵＥ２と他の動作中の各ＵＥとの間の無線範囲に従い、ＵＥ１及びＵＥ２、及び他の各ＵＥ間の無線妨害が生じるか否かを判定し、即ち、ＵＥ１及び／またはＵＥ２が他の動作中の各ＵＥの無線範囲内に入るか否か、及び他の動作中の各ＵＥがＵＥ１及び／またはＵＥ２のＰ２Ｐ無線範囲内に入るか否かを検出する（以上ステップＳ７０）。
【００４６】
ＵＥ１及びＵＥ２と他の動作中の各ＵＥとの間に無線妨害が生じない場合には、ＵＴＲＡＮはＰ２Ｐ通信用のリソースを通常の方法でＵＥ１及びＵＥ２に割り当てる（ステップＳ８０）。
【００４７】
ＵＥ１及びＵＥ２と他の動作中の各ＵＥとの間に妨害が生じる場合には、ＵＥ１及び／またはＵＥ２がいずれかの動作中のＵＥの無線範囲内に入ることが示され、従って、ＵＲＴＡＮはこの動作中のＵＥをマークし（目印を付け）、例えば関連する記録フラグを１に設定する（ステップ９０）。
【００４８】
ＵＴＲＡＮは、上記のようにマークした動作中の各ＵＥの時間スロット使用情報を検出する（ステップＳ１００）。そしてＵＴＲＡＮは、動作中の各ＵＥが同じ時間スロットをＵＥ１及びＵＥ２と共用しているか否かを判定する（ステップＳ１１０）。動作中の各ＵＥがＵＥ１及びＵＥ２と同じ時間スロットに割り当てられていない場合には、ＵＴＲＡＮはＰ２Ｐ通信用の無線リソースを通常のようにＵＥ１及びＵＥ２に割り当てる（ステップＳ８０）。即ち、ＵＥ１及びＵＥ２は、これらが存在するセルが属するコードグループ内のスクランブルコードを用いることによって、送信すべきＰ２Ｐ信号をスクランブルする。さもなければ、動作中の各ＵＥがＵＥ１及び／またはＵＥ２と同じ時間スロットに割り当てられている場合には、ＵＴＲＡＮは上記冗長スクランブルコード・リソースプールから冗長スクランブルコードを選択し、この冗長スクランブルコードを、時間スロット、チャンネル化コード、等のような無線リソースと共にＵＥ１及びＵＥ２に割り当てる（ステップＳ１２０）。冗長スクランブルコード・リソースプールからスクランブルコードを選択して、このスクランブルコードをＵＥ１及びＵＥ２に割り当てた後に、ＵＴＲＡＮは冗長スクランブルコード・リソースプール内のスクランブルコード記録を更新する（ステップＳ１３０）。
【００４９】
ＵＥ１及びＵＥ２は、ＵＴＲＡＮによって割り当てられたスクランブルコードを含む上記無線リソースを利用することによってことによって、ＵＥ１とＵＥ２との間で転送するＰ２Ｐ信号をスクランブルして、Ｐ２Ｐリンク経由のＰ２Ｐ通信を可能にする（ステップＳ１４０）。Ｐ２Ｐ通信手順中に、ＵＴＲＡＮは、Ｐ２Ｐリンク用に割り当てられた無線リソースが変化するか否かを監視し続ける（ステップＳ１５０）。Ｐ２Ｐリンク用のスクランブルコードは、Ｐ２Ｐリンク用の無線リソースがなければ、特に、時間スロットが変化した時点でなければ、通信中に同じ状態を維持する。Ｐ２Ｐリンク用に割り当てられた無線リソースが変化すれば、ＵＴＲＡＮはＳ６０からＳ１５０までのステップを繰り返して、新たなスクランブルコードをＵＥ１及びＵＥ２に割り当てる必要があるか否かを判定する。
【００５０】
Ｐ２Ｐ通信が終了すると、ＵＥ１及びＵＥ２はスクランブルコードを含む無線リソースを解放し（ステップＳ１６０）、上記冗長スクランブルコード・リソースプール内のスクランブルコード記録を更新する（ステップＳ１７０）。
【００５１】
図４、図５及び図６を参照しながら説明した、本発明によるＴＤ−ＳＣＤＭＡシステムにおけるＰ２Ｐ通信をサポートする上記方法は、コンピュータ・ソフトウェア、またはハードウェア、あるいはソフトウェアとハードウェアの組合せで実現することができる。
【００５２】
図７に、ハードウェアで実現した、Ｐ２Ｐ妨害を軽減するＵＥ１及びＵＥ２及びＵＴＲＡＮの構造を示す。ＵＥ１  ２００では、取得ユニット２２０が、ＵＥ１が存在するセルのコードグループ使用情報をセル探索手順によって取得し；読込みユニット２３０は隣接セルのコードグループ使用情報を隣接セル探索手順によって読み込み；送信ユニット２１０は、ＵＥ１が存在するセル及びその隣接セルのコードグループ使用情報をＵＴＲＡＮ１００に送信する。同様に、ＵＥ２  ３００では、取得ユニット３２０が、ＵＥ２が存在するセルのコードグループ使用情報をセル探索手順によって取得し；読込みユニット３３０は隣接セルのコードグループ使用情報を隣接セル探索手順によって読み込み；送信ユニット３１０は、ＵＥ２が存在するセル及びその隣接セルのコードグループ使用情報をＵＴＲＡＮ１００に送信する。ＵＴＲＡＮ１００内の受信ユニット１１０は、ＵＥ１及びＵＥ２が存在するセル及びその隣接セルのコードグループ使用情報をＵＥ１及びＵＥ２から受信する。第１判定ユニット１２０は、ＵＥ１及びＵＥ２が存在するセル及びその隣接セルに事前割当てされたコードグループ使用情報により冗長コードグループ情報を特定することもできる。
【００５３】
測定ユニット１４０は、ＵＥ１及びＵＥ２と、これら２つのＵＥが存在するセル及びその隣接セル内の他の動作中の各ＵＥとの間の相対位置を測定する。ＵＥ１及び／またはＵＥ２と他のいくつかの動作中のＵＥとの間に無線妨害が生じている際には、即ち、ＵＥ１及び／またはＵＥ２がいくつかの動作中のＵＥの無線範囲内に入り、かついくつかの動作中のＵＥがＵＥ１及び／またはＵＥ２の無線範囲内に入る際には、第２特定ユニット１５０がさらに、上記相対位置により、ＵＥ１及び／またはＵＥ２といくつかの動作中のＵＥとが同じ時間スロットに割り当てられているか否かを特定し、第２特定ユニット１５０が、ＵＥ１及び／またはＵＥ２と前記いくつかの動作中のＵＥのうちの１つとが同じ時間スロットに割り当てられていることを特定した場合には、選択ユニット１３０は前記冗長コードグループ情報からスクランブルコードを選択して、これら２つのＵＥが、これら２つのＵＥ間で転送する信号を前記スクランブルコードを用いることによってスクランブルできるようにする。
【００５４】
ＵＥ１及びＵＥ２内の受信ユニット２４０及び３４０はそれぞれ、ＵＴＲＡＮによって割り当てられた上記スクランブルコードを受信する。ＵＥ１がＰ２Ｐ信号をＵＥ２に送信中であり、ＵＥ１内のスクランブルユニット２５０が送信すべきＰ２Ｐ信号を前記スクランブルコードを用いることによってスクランブルし、ＵＥ１はスクランブルされたＰ２Ｐ信号を送信ユニット２１０を介してＵＥ２に送信するものとする。ＵＥ２内の受信ユニット３４０は、スクランブルされたＰ２Ｐ信号を受信して、受信したスクランブルされたＰ２Ｐ信号をデスクランブル（スクランブル解除）ユニット３６０によって、上記割り当てられたスクランブルコードを用いることによってデスクランブル（スクランブル解除）して、ＵＥ１からの元の信号を得る。逆に、ＵＥ２がＰ２Ｐ信号をＵＥ１に送信する場合には、ＵＥ２及びＵＥ１は、それぞれスクランブルユニット３５０及びデスクランブルユニット２６０を用いることによって、これらのＵＥ間のＰ２Ｐ信号をスクランブルまたはデスクランブルする。
【００５５】
（本発明の産業上の利用可能性）
上述したように、本発明によって提供されるＰ２Ｐ型通信システムにおけるＰ２Ｐ妨害軽減方法については、ＵＥによって送信するＰ２Ｐ信号を、冗長コードグループ中のこのＵＥが存在するセル及びその隣接セルに割り当てられたコードグループ以外のコードグループを用いることによってスクランブルし、これにより、上記妨害信号Ｉ１、Ｉ４、Ｉ５及びＩ６を効果的に軽減する。さらに、この方法は妨害信号Ｉ２及びＩ３を効果的に軽減することができる。
【００５６】
上述した本発明によるＰ２Ｐ型通信システムにおけるＰ２Ｐ妨害軽減方法及び装置は、本明細書におけるＴＤ−ＳＣＤＭＡシステムに限定されず、ＣＤＭＡシステムにおけるマルチ（多重）ホップ通信及びアドホック通信にも使用すべく適用可能であることは、当業者にとって明らかである。
【００５７】
上述した本発明によるＰ２Ｐ型通信システムにおけるＰ２Ｐ妨害軽減方法及び装置は、請求項に記載の本発明の範囲を逸脱することなしに大幅に変形することができることも、当業者にとって明らかである。
【図面の簡単な説明】
【００５８】
【図１】従来の通信モードでの基地局の中継を通して通信する２つのＵＥを図式的に示す図である。
【図２】Ｐ２Ｐ通信モードで通信する２つのＵＥを図式的に示す図である。
【図３】Ｐ２Ｐ通信モードをＴＤ−ＳＣＤＭＡシステムに導入することによって生じる種々の妨害信号を図式的に示す図である。
【図４】ＴＤ−ＳＣＤＭＡシステムにおけるコードグループ割り当てを示す図である。
【図５】ＴＤ−ＳＣＤＭＡシステムにおけるスクランブルコードの自己相関及び相互相関特性を示す図である。
【図６】本発明による、ＵＥ１、ＵＥ２、及びＵＴＲＡＮによって実行されるスクランブルコードを用いることによってＰ２Ｐ妨害を軽減する方法を示す図である。
【図７】本発明によるスクランブルコードを用いることによってＰ２Ｐ妨害を軽減するためのＵＥ１、ＵＥ２、及びＵＴＲＡＮのハードウェア構造を示す図である。
【図１】
2007512734.tif 000005
【図２】
2007512734.tif 000006
【図３】
2007512734.tif 000007
【図４】
2007512734.tif 000008
【図５】
2007512734.tif 000009
【図６】
2007512734.tif 000010
【図７】
2007512734.tif 000011
【国際調査報告】
2007512734.tif 000012
2007512734.tif 000013